(57)【要約】【課題】階層構造により表示順が互いに関連付けられた複数の入力画面のうちのより下層の入力画面を容易に選択して速やかに表示する。【解決手段】画像形成装置１０において、制御部３１は、階層構造をなす入力画面であって最初に表示させる階層の入力画面を表示部２１に表示させるときに、履歴情報を記憶部２８から読み出して履歴情報が示す下層の入力画面を示す入力画面画像を表示部２１に表示させ、タッチパネル２４に対するユーザー操作により入力画面画像が示す下層の入力画面の表示が指示されると、表示部２１の画面を当該指示された下層の入力画面の表示に切り換える。【選択図】図２
2019211997.tif 000002
【特許請求の範囲】
【請求項１】
表示部と、
前記表示部の画面に設けられたタッチパネルと、
階層構造により表示順が互いに関連付けられた複数の入力画面を記憶した記憶部と、
前記タッチパネルに対してユーザーにより行われるユーザー操作に応じて、前記各入力画面を前記階層構造の上層から下層へと前記記憶部から順次読み出して前記表示部に表示させ、前記階層構造の下層の入力画面が前記表示部に表示されたことを示す履歴情報を前記記憶部に記憶させる制御部と、を備え、
前記制御部は、前記階層構造をなす入力画面であって最初に表示させる階層の入力画面を前記表示部に表示させているときに、前記履歴情報を前記記憶部から読み出して前記履歴情報が示す下層の入力画面を示す入力画面画像を前記表示部に表示させ、前記タッチパネルに対するユーザー操作により前記入力画面画像が操作されると、前記表示部の画面を、当該操作された入力画面画像が示す下層の入力画面の表示に切り換える表示装置。
【請求項２】
前記制御部は、前記入力画面画像を前記表示部に表示させているときに前記タッチパネルに対するユーザー操作により前記入力画面画像の削除が指示されると、当該入力画面画像を非表示にすると共に、当該入力画面画像が示す入力画面についての履歴情報を前記記憶部から削除する請求項１に記載の表示装置。
【請求項３】
前記入力画面画像の表示を指示するための前記タッチパネルに対するユーザー操作として、第１ユーザー操作と、当該第１ユーザー操作とは異なる第２ユーザー操作とが予め設定されており、
前記制御部は、
前記第１ユーザー操作による指示に応じて前記入力画面画像を表示しているときに、前記タッチパネルに対するユーザー操作により当該入力画面画像の削除が指示されると、直ちに当該入力画面画像を非表示にすると共に、当該入力画面画像が示す入力画面についての履歴情報を前記記憶部から削除し、
前記第２ユーザー操作による指示に応じて前記入力画面画像を表示しているときに、前記タッチパネルに対するユーザー操作により当該入力画面画像の削除が指示されると、当該削除の指示の確認を促す確認キーを前記表示部に表示させ、前記タッチパネルに対するユーザー操作により前記確認キーが操作された場合に、当該入力画面画像を非表示にすると共に、当該入力画面画像が示す入力画面についての履歴情報を前記記憶部から削除する請求項１に記載の表示装置。
【請求項４】
前記制御部は、複数の前記入力画面画像を前記表示部にリストで表示させているときに、前記タッチパネルに対するユーザー操作により前記入力画面画像のいずれかについて削除を禁止する指示がされた場合、当該指示以降は当該入力画面画像を削除する指示を受け付けず、前記リストにおける当該入力画面画像の表示位置を最上位にする請求項１に記載の表示装置。
【請求項５】
前記制御部は、前記階層構造の下層の入力画面が前記表示部に表示されたこと及び当該下層の入力画面で設定された設定値を示す情報を前記履歴情報として前記記憶部に記憶させる請求項１乃至請求項４のいずれかに記載の表示装置。
【請求項６】
請求項１乃至請求項５のいずれかに記載の表示装置と、
原稿の画像を読取る画像読取部と、
前記画像読取部により読取られた原稿の画像を記録紙に形成する画像形成部と、を備える画像形成装置。
【請求項７】
階層構造により表示順が互いに関連付けられた複数の入力画面を記憶した記憶部と、
表示部の画面に設けられたタッチパネルに対してユーザーにより行われるユーザー操作に応じて、前記各入力画面を前記階層構造の上層から下層へと前記記憶部から順次読み出して前記表示部に表示させ、前記階層構造の下層の入力画面が前記表示部に表示されたことを示す履歴情報を前記記憶部に記憶させる制御部と、してコンピューターを機能させ、
更に、前記制御部が、前記階層構造をなす入力画面であって最初に表示させる階層の入力画面を前記表示部に表示させているときに、前記履歴情報を前記記憶部から読み出して前記履歴情報が示す下層の入力画面を示す入力画面画像を前記表示部に表示させ、前記タッチパネルに対するユーザー操作により前記入力画面画像が操作されると、前記表示部の画面を、当該操作された入力画面画像が示す下層の入力画面の表示に切り換えるように、前記コンピューターを機能させる表示制御プログラム。
【発明の詳細な説明】
【技術分野】
【０００１】
本発明は、表示装置、画像形成装置、及び表示制御プログラムに関し、特に、階層構造により表示順が互いに関連付けられた複数の入力画面のうちの任意の入力画面を選択して表示させるための技術に関する。
【背景技術】
【０００２】
周知のように表示装置としては、階層構造により表示順が互いに関連付けられた複数の入力画面を切替え表示するものがある。この場合、まず、階層構造の最上層の入力画面を表示し、この最上層の入力画面から当該入力画面に関連づけられた下層の入力画面へと表示を遷移させ、この表示された入力画面から当該入力画面に関連付けられた更に下層の入力画面の表示へと遷移させ、以降同様に、より下層の入力画面の表示へと遷移させる。
【０００３】
また、特許文献１に記載の表示入力装置では、プログラムキーの表示位置においてタッチされた２点の間隔を広げる操作をタッチパネルで受け付けた場合に、プログラムキーの表示領域を拡大して、このプログラムキーの表示領域内に、プログラムに定義された機能の機能名及び設定値を表示する。これにより、プログラムに定義された機能の機能名及び設定値の確認が容易になる。
【０００４】
また、特許文献２のメニュー表示装置では、画質調整を含む複数の項目とその設定値を一覧表示し、変更した項目及び該項目における変更前の設定値と変更後の設定値を、変更しなかった他の項目とは違う色で表示すると共に、装置（プロジェクターなど）の照度、色度も合わせて表示するようにしている。このため、変更が加えられた項目や設定値を一目で確認することができ、また装置の画質調整のどの項目を調整するべきかを判断することができる。
【先行技術文献】
【特許文献】
【０００５】
【特許文献１】特開２０１３−２２２２９８号公報
【特許文献２】特開２００４−３２５８１８号公報
【発明の概要】
【発明が解決しようとする課題】
【０００６】
ここで、上記のように階層構造により表示順が互いに関連付けられた複数の入力画面を切替え表示する場合、下層の入力画面を表示させるには、その度に、最上層の入力画面から下層の入力画面を順次たどる必要があって、手間がかかる。上記特許文献１及び特許文献２では、より下層の入力画面を速やかかつ容易に表示させるための技術が記載されておらず、その示唆もない。
【０００７】
本発明は、上記の事情に鑑みなされたものであり、階層構造により互いに表示順が関連付けられた複数の入力画面のうちのより下層の入力画面を容易に選択して速やかに表示できるようにすることを目的とする。
【課題を解決するための手段】
【０００８】
本発明の一局面にかかる表示装置は、表示部と、前記表示部の画面に設けられたタッチパネルと、階層構造により表示順が互いに関連付けられた複数の入力画面を記憶した記憶部と、前記タッチパネルに対してユーザーにより行われるユーザー操作に応じて、前記各入力画面を前記階層構造の上層から下層へと前記記憶部から順次読み出して前記表示部に表示させ、前記階層構造の下層の入力画面が前記表示部に表示されたことを示す履歴情報を前記記憶部に記憶させる制御部と、を備え、前記制御部は、前記階層構造をなす入力画面であって最初に表示させる階層の入力画面を前記表示部に表示させているときに、前記履歴情報を前記記憶部から読み出して前記履歴情報が示す下層の入力画面を示す入力画面画像を前記表示部に表示させ、前記タッチパネルに対するユーザー操作により前記入力画面画像が操作されると、前記表示部の画面を、当該操作された入力画面画像が示す下層の入力画面の表示に切り換えるものである。
【０００９】
また、本発明の別の一局面にかかる表示制御プログラムは、階層構造により表示順が互いに関連付けられた複数の入力画面を記憶した記憶部と、表示部の画面に設けられたタッチパネルに対してユーザーにより行われるユーザー操作に応じて、前記各入力画面を前記階層構造の上層から下層へと前記記憶部から順次読み出して前記表示部に表示させ、前記階層構造の下層の入力画面が前記表示部に表示されたことを示す履歴情報を前記記憶部に記憶させる制御部と、してコンピューターを機能させ、更に、前記制御部が、前記階層構造をなす入力画面であって最初に表示させる階層の入力画面を前記表示部に表示させているときに、前記履歴情報を前記記憶部から読み出して前記履歴情報が示す下層の入力画面を示す入力画面画像を前記表示部に表示させ、前記タッチパネルに対するユーザー操作により前記入力画面画像が操作されると、前記表示部の画面を、当該操作された入力画面画像が示す下層の入力画面の表示に切り換えるように、前記コンピューターを機能させるものである。
【発明の効果】
【００１０】
本発明によれば、階層構造により互いに関連付けられた複数の入力画面のうちのより下層の入力画面を容易に選択して速やかに表示することができる。
【図面の簡単な説明】
【００１１】
【図１】本発明の一実施形態にかかる画像形成装置を示す断面図である。
【図２】本実施形態の画像形成装置の主要内部構成を示すブロック図である。
【図３】画像形成装置の表示部に表示される複数の入力画面の階層構造を概念的に示す図である。
【図４】画像形成装置の表示部に表示された入力画面の履歴情報を概念的に示す図である。
【図５】画像形成装置の表示部に入力画面を表示させるための処理手順を示すフローチャートである。
【図６】（Ａ）は表示部に表示された最上層の入力画面を示す図であり、（Ｂ）は最上層よりも１段下層の入力画面を示す図であり、（Ｃ）は最下層の入力画面を示す図である。
【図７】（Ａ）は表示部に表示された最上層の入力画面を示す図であり、（Ｂ）は履歴情報の一覧を示す図であり、（Ｃ）は最下層の入力画面を示す図である。
【図８】（Ａ）は表示部に表示された最上層の入力画面の機能キーに対する第１ユーザー操作を示す図であり、（Ｂ）は履歴情報の一覧を示す図であり、（Ｃ）は更新された履歴情報の一覧を示す図である。
【図９】（Ａ）は表示部に表示された最上層の入力画面の機能キーに対する第２ユーザー操作を示す図であり、（Ｂ）は履歴情報の一覧を示す図であり、（Ｃ）は更新された履歴情報の一覧を示す図である。
【図１０】表示部に表示された履歴情報の一覧における入力画面の名称をピン留めした状態を示す図である。
【発明を実施するための形態】
【００１２】
以下、本発明の実施形態にかかる表示装置、画像形成装置、及び表示制御プログラムについて図面を参照して詳細に説明する。
【００１３】
図１は、本発明の表示装置の一実施形態が適用された画像形成装置を示す断面図である。この図１に示す画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１４】
画像読取部１１は、原稿の画像を光学的に読み取る撮像素子を有しており、この撮像素子のアナログ出力がデジタル信号に変換されて、原稿の画像を示す画像データが生成される。
【００１５】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１６】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１７】
次に、画像形成装置１０の制御に係る構成について説明する。図２は、画像形成装置１０の主要内部構成を示す機能ブロック図である。図２に示すように画像形成装置１０は、画像読取部１１と、画像形成部１２と、表示部２１と、操作部２２と、通信部２３と、タッチパネル２４と、記憶部２８と、制御ユニット２９とを備えている。これらの構成要素は、互いにバスを通じてデータ又は信号の送受信が可能とされている。
【００１８】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどのハードキーを備えている。
【００１９】
表示部２１の画面には、タッチパネル２４が配置されている。タッチパネル２４は、所謂抵抗膜方式や静電容量方式などのタッチパネルであって、タッチパネル２４に対するユーザーの指などの接触（タッチ）をその接触位置とともに検知して、その接触位置の座標を示す検知信号を制御ユニット２９の後述する制御部３１などに出力する。
【００２０】
通信部２３は、ＬＡＮチップなどの通信モジュールを備える通信インターフェイスである。この通信部２３は、ネットワークを通じて、パーソナルコンピューター（ＰＣ）やサーバーなどに接続され、ＰＣやサーバーなどとの間でデータ通信を行う。
【００２１】
記憶部２８は、ＳＳＤ（Solid State Drive）、ＨＤＤ（Hard Disk Drive）などの大容量の記憶装置であって、各種のアプリケーションプログラムや種々の情報等を記憶している。
【００２２】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。なお、制御部３１は、前述の制御プログラムに基づく動作によらず、ハード回路により構成されてもよい。
【００２３】
制御部３１は、画像形成装置１０を統括的に制御する。制御ユニット２９は、表示部２１、操作部２２、通信部２３、タッチパネル２４、記憶部２８、画像読取部１１、及び画像形成部１２などと接続されている。制御部３１は、これら各構成の動作制御や、該各構成との間での信号またはデータの送受信を行う。
【００２４】
制御部３１は、更に、画像形成装置１０による画像形成に必要な各種の処理などを実行する処理部としての役割を果たす。また、制御部３１は、表示部２１の表示動作を制御する機能を有する。制御部３１は、通信部２３の通信動作を制御する機能を有する。
【００２５】
また、制御部３１は、タッチパネル２４から出力される検知信号に基づき、ユーザーにより入力されたユーザー操作を特定する。すなわち、ユーザー操作とは、タッチパネル２４に対してユーザーにより行われる操作である。そして、制御部３１は、特定したユーザー操作を受け付けて、このユーザー操作に応答動作する。
【００２６】
上記ユーザー操作には、タッチ操作、スワイプ操作などがある。例えば、ユーザーがタッチパネル２４に指を接触させて直ちに離すと、タッチパネル２４は、接触を検知した位置を示す検知信号を制御部３１に出力する。制御部３１は、該検知信号を入力すると、この検知信号に基づきユーザー操作がタッチ操作であることを判定し、このタッチ操作を受け付ける。このタッチ操作は、例えば表示部２１の画面上のアイコンやソフトキーに対して行われる。
【００２７】
また、ユーザーが指をタッチパネル２４に接触させた状態で移動させると、タッチパネル２４は、最初に接触を検出した初期位置から最後に接触を検出した最終位置までの各移動位置を示す検知信号を制御部３１に出力する。制御部３１は、該検知信号を入力すると、この検知信号に基づきユーザー操作がスワイプ操作であること、及びスワイプ操作の操作方向を判定し、このスワイプ操作を受け付ける。このスワイプ操作も、例えば表示部２１の画面上のアイコンやソフトキーに対して行われる。
【００２８】
ここで、画像形成装置１０の記憶部２８には、例えば図３に示すような階層構造により表示順が互いに関連付けられた複数の入力画面を示す各画像が予め記憶されている。この階層構造において、最上層の入力画面ＧＡには、該入力画面ＧＡよりも１段下層の複数の入力画面ＧＢ１、ＧＢ２、…が関連付けられ、また各入力画面ＧＢ１、ＧＢ２、…には、該各入力画面ＧＢ１、ＧＢ２、…よりも１段下層の複数の入力画面ＧＣ１、ＧＣ２、…、ＧＤ１、ＧＤ２、…、ＧＥ１、ＧＥ２、…などが関連付けられ、以降同様に、入力画面毎に、該入力画面よりも１段下層の入力画面が関連付けられている。
【００２９】
制御部３１は、上層の入力画面の画像を記憶部２８から読み出して当該上層の入力画面を表示している状態で、タッチパネル２４に対するユーザー操作により該入力画面に関連付けられた１段下層の任意の入力画面を表示させる指示が入力されると、その指示された任意の入力画面の画像を記憶部２８から読み出して表示部２１に表示させる。このため、このような指示の入力を各階層の入力画面の表示時に受け付けることにより、制御部３１は、最上層の入力画面ＧＡを表示し、この最上層の入力画面ＧＡから１段下層の複数の入力画面ＧＢ１、ＧＢ２、…のいずれかの表示へと遷移させ、この表示された入力画面から該入力画面よりも更に１段下層の複数の入力画面のいずれかの表示へと遷移させ、以降同様に、順次より下層の入力画面の表示へと遷移させる。
【００３０】
しかしながら、上記階層構造における下層の入力画面を表示させるには、最上層の入力画面ＧＡから下層の入力画面が表示されるまで、各階層の入力画面の表示時にユーザーが上記指示を入力する操作を行わなければならず、操作に手間がかかる。
【００３１】
そこで、本実施形態では、下層の入力画面が表示部２１に表示され、この下層の入力画面に対して設定値が設定されて処理が実行された場合に、制御部３１は、当該入力画面が表示部２１に表示されたことを示す履歴情報を記憶部２８に記憶させる。そして、制御部３１は、次回に最上層の入力画面を表示部２１に表示させるときに、上記履歴情報を記憶部２８から読み出して、当該履歴情報が示す各下層の入力画面を示すそれぞれの入力画面画像を表示部２１に表示させる。そして、制御部３１は、タッチパネル２４に対するユーザー操作により、いずれかの入力画面画像が操作されると、表示部２１の画面を当該操作された入力画面画像が示す下層の入力画面の表示に切り換える。このため、ユーザーは、以前に使用した下層の入力画面を、表示部２１に表示される上記入力画面画像に基づいた操作により容易に選択して、速やかに表示させることができる。
【００３２】
図４は、履歴情報を例示する図である。この図４に示す履歴情報ＲＤは、入力画面毎に、入力画面の識別子ＩＤと、該入力画面の名称と、該入力画面に対して入力されて設定された少なくとも１つの設定値とを対応付けてなる情報を有している。
【００３３】
次に、本実施形態の画像形成装置１０の表示部２１に入力画面を表示させるための処理手順を、図５に示すフローチャートなどを参照して説明する。
【００３４】
例えば、制御部３１は、図６（Ａ）に示すように表示部２１に最上層の入力画面ＧＡを表示させているものとする（Ｓ１０１）。この図６（Ａ）に示す最上層の入力画面ＧＡには、それぞれの機能に対応付けられた複数の機能キーＫ３１ａ〜Ｋ３１ｆ等が表示されている。例えば、機能キーＫ３１ａは、履歴情報ＲＤに対応するものであり、また機能キーＫ３１ｂは、コピーに対応する。
【００３５】
制御部３１は、各機能キーＫ３１ａ〜Ｋ３１ｆのいずれかに対するタッチ操作を待機しており（Ｓ１０２「Ｎｏ」）、いずれかの機能キーに対するタッチ操作が行われると（Ｓ１０２「Ｙｅｓ」）、タッチパネル２４を通じて、タッチ操作された機能キーを判定する（Ｓ１０３）。そして、制御部３１は、タッチ操作された機能キーが履歴情報ＲＤに対応する機能キーＫ３１ａであるか否かを判定する（Ｓ１０４）。
【００３６】
ここでは、履歴情報ＲＤに対応する機能キーＫ３１ａがタッチ操作されなかったものとする。この場合、制御部３１は、タッチ操作された機能キーが機能キーＫ３１ａではないと判定し（Ｓ１０４「Ｎｏ」）、その判定に応じてＳ１０３で判定された機能キーに対応する入力画面、つまり入力画面ＧＡよりも１段下層の入力画面を記憶部２８から読み出して表示部２１に表示させる（Ｓ１０５）。例えば、コピーの機能キーＫ３１ｂに対するタッチ操作が行われると、図６（Ｂ）に示すようなコピー開始用の入力画面ＧＢ１が表示部２１に表示される。この図６（Ｂ）に示すコピー開始用の入力画面ＧＢ１には、コピーの実行を指示するキーＫ３２、及び次の入力画面の表示を指示するキーＫ３３が表示されている。
【００３７】
このコピー開始用の入力画面ＧＢ１の表示に際し、制御部３１は、表示中の入力画面に対して設定値が入力されたか否かと（Ｓ１０６）、また処理の実行が指示されたか否かと（Ｓ１０７）、更に次の入力画面の表示が指示されたか否かとを判定する（Ｓ１０８）。
【００３８】
ただし、コピー開始用の入力画面ＧＢ１には、設定値を入力するための機能が設けられていないため、制御部３１は、表示中の入力画面に対して設定値が入力されなかったと判定し（Ｓ１０６「Ｎｏ」）、この入力された設定値をデフォルトの設定値に代えて設定するＳ１０９の処理を行うこともない。
【００３９】
例えば、ユーザーがコピーの実行を指示するキーＫ３２に対してタッチ操作すると、制御部３１は、タッチパネル２４を通じて、タッチ操作されたキーＫ３２を判定して（Ｓ１０７「Ｙｅｓ」）、コピーに係るデフォルトの複数の設定値に基づき、画像読取部１１により原稿の画像を読取らせ、画像形成部１２により原稿の画像を記録紙に記録させる（Ｓ１１０）。コピーに係るデフォルトの各設定値としては、例えばカラー又はモノクロ、画像濃度、縮小拡大率、印刷部数がある。
【００４０】
そして、制御部３１は、Ｓ１０９で設定値が変更されていたか否かを判定する（Ｓ１１１）。ここでは、Ｓ１０９で設定値が変更されなかったので、制御部３１は、設定値が変更されなかったと判定して（Ｓ１１１「Ｎｏ」）、履歴情報ＲＤを更新するためのＳ１１２の処理を行うことなく、図５の処理を終了する。
【００４１】
また、ユーザーがコピー開始用の入力画面ＧＢ１に次の入力画面の表示を指示するキーＫ３３に対してタッチ操作すると、制御部３１は、タッチパネル２４を通じて、キーＫ３３のタッチ操作により次の画面（更に下位層の入力画面）の表示指示が入力されたと判定する（Ｓ１０８「Ｙｅｓ」）。制御部３１は、当該判定に応じてＳ１０５の処理に戻り、入力画面ＧＢ１よりも更に１段下層の入力画面を記憶部２８から読み出して表示部２１に表示させる（Ｓ１０５）。例えば、制御部３１は、図６（Ｃ）に示すような最下層のコピー設定用の入力画面ＧＣ１を表示部２１に表示させる。この図６（Ｃ）に示すコピー設定用の入力画面ＧＣ１には、カラー又はモノクロ、画像濃度、縮小拡大率、印刷部数を入力して指示するためのそれぞれのボックスＢ１〜Ｂ５、及びコピーの実行を指示するキーＫ３４などが表示されている。また、コピー設定用の入力画面ＧＣ１は、最下層の入力画面であるため、次の入力画面の表示を指示するキーが表示されていない。
【００４２】
そして、制御部３１は、表示中の入力画面に対して設定値が入力されたか否かと（Ｓ１０６）、また処理の実行が指示されたか否かと（Ｓ１０７）、更に次の入力画面の表示が指示されたか否かとを判定する（Ｓ１０８）。
【００４３】
ただし、上記のようにコピー設定用の入力画面ＧＣ１には次の入力画面の表示を指示するキーが表示されていないため、制御部３１は、次の入力画面の表示が指示されたとは判定することがなく（Ｓ１０８「Ｎｏ」）、コピー設定用の入力画面ＧＣ１よりも１段下層の入力画面を表示部２１に表示させるためのＳ１０５の処理を行うこともない。
【００４４】
このコピー設定用の入力画面ＧＣ１の表示に際し、ユーザーは、各ボックスＢ１〜Ｂ５に対するタッチ操作によりカラー又はモノクロ、画像濃度、縮小拡大率、印刷部数を入力可能とされている。制御部３１は、コピー設定用の入力画面ＧＣ１の各ボックスＢ１〜Ｂ５別に、設定値が入力されたか否か判定し、設定値が入力されたと判定した場合に（Ｓ１０６「Ｙｅｓ」）、この入力された設定値をデフォルトの設定値に代えて設定する（Ｓ１０９）。
【００４５】
そして、ユーザーがコピーの実行を指示するキーＫ３４に対してタッチ操作すると、制御部３１は、タッチパネル２４を通じて、タッチ操作されたキーＫ３４を判定して（Ｓ１０７「Ｙｅｓ」）、Ｓ１０９で設定されたコピーに係る各設定値に基づき、画像読取部１１により原稿の画像を読取らせ、画像形成部１２により原稿の画像を記録紙に記録させる（Ｓ１１０）。
【００４６】
更に、制御部３１は、Ｓ１０９で設定値が変更されたと判定し（Ｓ１１１「Ｙｅｓ」）、コピー設定用の入力画面ＧＣ１が表示されたこと及び該入力画面ＧＣ１で設定された各設定値を履歴情報ＲＤとして記憶部２８に記憶させ、すなわち履歴情報ＲＤを更新して（Ｓ１１２）、処理を終了する。
【００４７】
また、ユーザーは、コピー設定用の入力画面ＧＣ１の各ボックスＢ１〜Ｂ５のいずれにも設定値を入力せずに、キーＫ３４に対してタッチ操作して、コピーの実行を指示可能とされている。この場合、制御部３１は、設定値が入力されなかったと判定し（Ｓ１０６「Ｎｏ」）、またタッチパネル２４を通じて、タッチ操作されたキーＫ３４を判定すると（Ｓ１０７「Ｙｅｓ」）、コピーに係るデフォルトの各設定値に基づき、画像読取部１１により原稿の画像を読取らせ、画像形成部１２により原稿の画像を記録紙に記録させる（Ｓ１１０）。そして、制御部３１は、設定値が変更されなかったと判定して（Ｓ１１１「Ｎｏ」）、Ｓ履歴情報を更新することなく（Ｓ１１２の処理を行うことなく）、処理を終了する。
【００４８】
尚、図６（Ｂ）、図６（Ｃ）に示す各入力画面ＧＢ１、ＧＣ１に配置されている閉ボタンＣＬがユーザーにより操作された場合、制御部３１は、表示部２１に、１つ上層の入力画面を表示させる。
【００４９】
このように階層構造の下層の入力画面が表示部２１に表示され、この入力画面に対するタッチ操作により設定値が設定されて処理が実行された場合は、該入力画面及び設定値が履歴情報ＲＤとして記憶部２８に記憶される。
【００５０】
次に、履歴情報ＲＤを利用して、以前に用いた下層の入力画面を速やかに呼び出して表示部２１に表示させるための手順を説明する。
【００５１】
図７（Ａ）に示すように最上層の入力画面ＧＡが表示部２１に表示されている状態で（Ｓ１０１）、制御部３１は、各機能キーＫ３１ａ〜Ｋ３１ｆのいずれかに対するタッチ操作を待機しており（Ｓ１０２「Ｎｏ」）、いずれかの機能キーに対するタッチ操作が行われると（Ｓ１０２「Ｙｅｓ」）、タッチパネル２４を通じて、タッチ操作された機能キーを判定し（Ｓ１０３）、タッチ操作された機能キーが履歴情報ＲＤに対応する機能キーＫ３１ａであるか否かを判定する（Ｓ１０４）。
【００５２】
ここでは、ユーザーが機能キーＫ３１ａに対してタッチ操作したものとする。この場合、制御部３１は、タッチ操作された機能キーが機能キーＫ３１ａであると判定し（Ｓ１０４「Ｙｅｓ」）、このように判定した場合は、履歴情報の一覧ＲＲを表示部２１に表示させる指示が入力されたものとして、記憶部２８に記憶されている履歴情報ＲＤを参照して、図７（Ｂ）に例を示すように履歴情報の一覧ＲＲを表示部２１に表示させる（Ｓ１１３）。この図７（Ｂ）に示す履歴情報の一覧ＲＲには、表示部２１に表示された複数の下層の入力画面を名称で示す入力画面画像Ｒ１〜Ｒ３…が配列されたリストが表示されている。履歴情報の一覧ＲＲには、表示部２１に表示されたことが履歴情報ＲＤに記憶されているコピー設定用の入力画面ＧＣ１を示す入力画面画像Ｒ２も表示される。
【００５３】
このとき、ユーザーが履歴情報の一覧ＲＲにおける各下層の入力画面を示すいずれかの入力画面画像に対してタッチ操作すると、制御部３１は、タッチパネル２４を通じて、タッチ操作された入力画面画像が示す下層の入力画面を判定し、当該判定された下層の入力画面の画像を記憶部２８から読み出して表示部２１に表示させる（Ｓ１１４）。例えば、ユーザーが履歴情報の一覧ＲＲにおいてコピー設定用の入力画面ＧＣ１を示す入力画面画像Ｒ２をタッチ操作すると、図７（Ｃ）に示すようにコピー設定用の入力画面ＧＣ１が表示部２１に表示される。
【００５４】
この後、処理は、Ｓ１０６、Ｓ１０７、Ｓ１０８に移る。このとき、ユーザーがコピーの実行を指示するキーＫ３４に対してタッチ操作すると、制御部３１は、タッチパネル２４を通じて、タッチ操作されたキーＫ３４を判定し（Ｓ１０７「Ｙｅｓ」）、コピー設定用の入力画面ＧＣ１に対応付けられた各設定値を履歴情報ＲＤから読み出して、該各設定値に基づき、画像読取部１１により原稿の画像を読取らせ、画像形成部１２により原稿の画像を記録紙に記録させる（Ｓ１１０）。
【００５５】
更に、制御部３１は、Ｓ１０９で設定値が変更されたか否かを判定する（Ｓ１１１）。ここでは、Ｓ１０９で設定値が変更されなかったので、制御部３１は、設定値が変更されなかったと判定して（Ｓ１１１「Ｎｏ」）、履歴情報ＲＤを更新するＳ１１２の処理を行うことなく、処理を終了する。
【００５６】
また、コピー設定用の入力画面ＧＣ１における各ボックスＢ１〜Ｂ５に対するタッチ操作により例えばカラー又はモノクロ、画像濃度、縮小拡大率、印刷部数が再度入力されて設定された場合は（Ｓ１０６「Ｙｅｓ」、Ｓ１０９）、ユーザーがコピーの実行を指示するキーＫ３４に対してタッチ操作すると、制御部３１は、タッチパネル２４を通じて、タッチ操作されたキーＫ３４を判定して（Ｓ１０７「Ｙｅｓ」）、Ｓ１０９で設定されたコピーに係る各設定値に基づき、画像読取部１１により原稿の画像を読取らせ、画像形成部１２により原稿の画像を記録紙に記録させる（Ｓ１１０）。そして、制御部３１は、設定値が変更されたと判定して（Ｓ１１１「Ｙｅｓ」）、当該コピー設定用の入力画面ＧＣ１が表示されたこと及びＳ１０９で設定された各設定値を履歴情報ＲＤとして記憶部２８に記憶させ、すなわち当該履歴情報ＲＤを更新して（Ｓ１１２）、処理を終了する。
【００５７】
このように本実施形態では、下層の入力画面が表示部２１に表示され、この下層の入力画面に対して設定値が入力されて処理が実行された場合に、その入力画面が表示部２１に表示されたことを示す履歴情報ＲＤが記憶部２８に記憶され、次回に最上層の入力画面を表示させているときに、履歴情報の一覧ＲＲを表示部２１に表示させる指示が入力された場合には、履歴情報ＲＤに基づいて上記入力画面画像を履歴情報の一覧ＲＲによりリストで表示し、ここで任意の下層の入力画面を示す入力画面画像がタッチ操作されると、この入力画面画像が示す任意の下層の入力画面が表示部２１に直ちに表示される。このため、ユーザーは、以前に使用した下層の入力画面を容易に選択して速やかに表示させることができる。
【００５８】
なお、上記実施形態では、下層の入力画面が表示部２１に表示され、この下層の入力画面に対して設定値が入力されて処理が実行された場合に、制御部３１が、その入力画面が表示部２１に表示されたことを示す履歴情報ＲＤを記憶部２８に記憶させるようにしているが、これに限られず、(i)下層の入力画面が表示部２１に表示されて、この下層の入力画面に対して設定値が入力されずに処理が実行された場合、又は(ii) 下層の入力画面が表示部２１に表示されたが、この下層の入力画面に対して設定値の入力がされず、処理も実行されなかった場合であっても、制御部３１が、その入力画面が表示部２１に表示されたことを示す履歴情報ＲＤを記憶部２８に記憶させるようにしてもよい。この場合も、制御部３１は、次回に最上層の入力画面を表示させているときに、履歴情報の一覧ＲＲを表示部２１に表示させる指示が入力された場合には、履歴情報ＲＤに基づいて上記入力画面画像を履歴情報の一覧ＲＲによりリストで表示させる。
＜変形例１＞
変形例１では、図７（Ｂ）に示すように履歴情報の一覧ＲＲが表示部２１に表示されている状態で、ユーザーが履歴情報の一覧ＲＲにおける入力画面画像に対して予め設定されたユーザー操作（例えばスワイプ操作）を行うと、制御部３１は、タッチパネル２４を通じて、該スワイプ操作が行われた入力画面画像を判定し、当該判定された入力画面画像を履歴情報の一覧ＲＲから非表示にする。更に、制御部３１は、該スワイプ操作が行われた入力画面画像が示す入力画面を判定して、この入力画面についての履歴情報ＲＤを記憶部２８から削除する。これにより、ユーザーは、必要な入力画面を示す入力画面画像のみを履歴情報の一覧ＲＲに表示させることができる。
＜変形例２＞
変形例２では、履歴情報の表示を指示するためのタッチパネル２４に対するユーザー操作として、第１ユーザー操作と、第１ユーザー操作ととは異なる第２ユーザー操作とが予め設定されている。例えば、第１ユーザー操作としてスワイプ操作が、また第２ユーザー操作としてタッチ操作が設定されている。
【００５９】
例えば、図８（Ａ）に示すように最上層の入力画面ＧＡが表示部２１に表示されている状態で、ユーザーが履歴情報ＲＤに対応する機能キーＫ３１ａに対して第１ユーザー操作（スワイプ操作）を行うと、制御部３１は、タッチパネル２４を通じて、第１ユーザー操作が行われた機能キーＫ３１ａを判定し、当該判定に応じて、図８（Ｂ）に示すように、入力画面画像Ｒ１〜Ｒ３…を含む履歴情報の一覧ＲＲを表示部２１に表示させる。
【００６０】
更に、ユーザーが履歴情報の一覧ＲＲにおける入力画面画像のうち、任意の入力画面を示す入力画面画像に対して予め設定されたユーザー操作（例えばスワイプ操作）を行うと、制御部３１は、タッチパネル２４を通じて、該スワイプ操作が行われた入力画面画像を判定して、その判定に応じて図８（Ｃ）に示すように該入力画面を示す入力画面画像を履歴情報の一覧ＲＲから消去する。更に、制御部３１は、当該操作された入力画面画像が示す入力画面についての履歴情報ＲＤを記憶部２８から削除する。
【００６１】
また、図９（Ａ）に示すように最上層の入力画面ＧＡが表示部２１に表示されている状態で、ユーザーが履歴情報ＲＤに対応する機能キーＫ３１ａに対して第２ユーザー操作（タッチ操作）を行うと、制御部３１は、タッチパネル２４を通じて、第２ユーザー操作が行われた機能キーＫ３１ａを判定し、当該判定に応じて図９（Ｂ）に示すように、入力画面画像Ｒ１〜Ｒ３…を含む履歴情報の一覧ＲＲを表示部２１に表示させる。
【００６２】
更に、ユーザーが履歴情報の一覧ＲＲにおける任意の入力画面を示す入力画面画像に対して予め設定されたユーザー操作（例えばスワイプ操作）を行うと、制御部３１は、タッチパネル２４を通じて、該スワイプ操作が行われた入力画面画像を判定し、当該判定に応じて、図９（Ｂ）に示すように、当該入力画面画像の近傍に削除の確認キーＫ３５を表示させる。そして、ユーザーが削除の確認キーＫ３５に対してタッチ操作すると、制御部３１は、タッチパネル２４を通じて、削除の確認キーＫ３５に対するタッチ操作を判定して、その判定に応じて図９（Ｃ）に示すように該入力画面を示す入力画面画像を履歴情報の一覧ＲＲから消去する。更に、制御部３１は、当該操作された入力画面画像が示す入力画面についての履歴情報ＲＤを記憶部２８から削除する。
【００６３】
すなわち、履歴情報ＲＤに対応する機能キーＫ３１ａに対して第１ユーザー操作及び第２ユーザー操作のいずれが行われたかに応じて、入力画面画像を表示させるか否かを指定する操作手順、及び、履歴情報を削除する操作手順を異ならせている。
＜変形例３＞
変形例３では、図１０に示すように履歴情報の一覧ＲＲが表示部２１に表示されている状態で、ユーザーが履歴情報の一覧ＲＲにおける任意の入力画面を示す入力画面画像に対して予め設定されたユーザー操作（例えば、上記削除を指示する場合とは逆方向のスワイプ操作、或いはダブルタップ操作等）を行うと、制御部３１は、タッチパネル２４を通じて、該ユーザー操作が行われた入力画面画像を判定する。そして、制御部３１は、当該判定に応じて当該操作された入力画面画像を、リストにより表示されている履歴情報の一覧ＲＲにおける最も上位（図１０に示す例では最も上となる位置）に表示すると共に、当該判定以降は当該入力画面画像を削除する指示を受け付けない。
【００６４】
そして、制御部３１は、当該履歴情報の削除を禁止することを示すピン留めマークＰＭを該入力画面の名称の近傍に表示させる。この場合、制御部３１は、このピン留めマークＰＭが近傍に表示された入力画面画像に対して削除のためのスワイプ操作が行われてタッチパネル２４により当該スワイプ操作が検知されても、この入力画面画像を履歴情報から非表示にはしない。また、制御部３１は、当該入力画面についての履歴情報を記憶部２８から削除することもない。これにより、重要な入力画面を表示する入力画面画像が不用意に非表示になる、或いは、重要な入力画面についての履歴情報が不用意に削除されることを防止することができる。
【００６５】
尚、上記実施形態で説明した画像形成装置１０における表示部の表示方法は、上記のＲＯＭ又は記憶部２８に記憶された制御プログラムとして提供することができる。この制御プログラムは、コンピューターにより読み取り可能な非一時的な記録媒体、例えば、ハードディスク、ＣＤ−ＲＯＭ、ＤＶＤ−ＲＯＭ、半導体メモリーなどに記録される。この場合、当該制御プログラムを記録したコンピューターにより読み取り可能な非一時的な記録媒体が、本発明の一実施形態となる。
【００６６】
また、上記実施形態では、図１乃至図１０を用いて上記実施形態により示した構成及び処理は、本発明の一実施形態に過ぎず、本発明を当該構成及び処理に限定する趣旨ではない。
【符号の説明】
【００６７】
１０    画像形成装置
１１      画像読取部
１２      画像形成部
２１      表示部
２２      操作部
２３      通信部
２４      タッチパネル
２８      記憶部
２９      制御ユニット
３１      制御部
【図１】
2019211997.tif 000003
【図２】
2019211997.tif 000004
【図３】
2019211997.tif 000005
【図４】
2019211997.tif 000006
【図５】
2019211997.tif 000007
【図６】
2019211997.tif 000008
【図７】
2019211997.tif 000009
【図８】
2019211997.tif 000010
【図９】
2019211997.tif 000011
【図１０】
2019211997.tif 000012